(57)【要約】【課題】  一定の大きさの開口を維持してカップ壁面上に確実に載置固定することができて安心して注湯することができるドリッパーを提供することである。【解決手段】  両側縁に折曲部を備えた平面視略矩形状の筒状紙体に濾過機能を有する袋体を挿入して前記袋体の開口縁の略中央対向部を前記筒状紙体の一方の開口縁の略中央部に貼着したドリッパーにおいて、前記筒状紙体の他方の開口縁に一対の中央係合突片と側縁係合突片とが形成され、さらに前記一対の中央係合突片の前記他方の開口縁から前記一対の中央係合突片をそれぞれ略２等分して前記一方の開口縁側へ延びる一対の第２切線と該一対の第２切線の前記一方の開口縁側のそれぞれの終端から前記両側縁へ前記第２切線に対して対称に延びる一対の第１切線とが形成されていることを特徴とするドリッパー。【選択図】        図１
2004195198.tif 000002
【特許請求の範囲】
【請求項１】
両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の他方の開口縁の中央対向部に一対の中央係合突片と前記筒状紙体の他方の開口縁の前記両側縁に側縁係合突片とが形成され、さらに前記一対の中央係合突片の前記他方の開口縁から前記一対の中央係合突片をそれぞれ略２等分して前記一方の開口縁側へ延びる一対の第２切線と該一対の第２切線の前記一方の開口縁側のそれぞれの終端から前記両側縁へ前記第２切線に対して対称に延びる一対の第１切線とが形成されていることを特徴とするドリッパー。
【請求項２】
前記第１切線と前記第２切線とがＴ字状となるように形成されていることを特徴とする請求項１記載のドリッパー。
【請求項３】
前記筒状紙体のそれぞれの前記第１切線より前記一方の開口縁側のそれぞれの前記第２切線に対して対称な位置に折り手段が形成されていることを特徴とする請求項１、２のいずれかに記載のドリッパー。
【請求項４】
前記筒状紙体に設けた一対の前記第１切線のそれぞれの略両端から前記両側縁に平行に前記筒状紙体の前記一方の開口縁に延びる仮想直線を想定したときに、前記仮想直線上にほぼ位置する孔部が前記折り手段として前記筒状紙体に設けられていることを特徴とする請求項３記載のドリッパー。
【請求項５】
前記孔部が前記両側縁に平行な方向に延びる長孔部であることを特徴とする請求項４記載のドリッパー。
【請求項６】
前記孔部の前記一方の開口縁側と前記他方の開口縁側との端部がそれぞれの開口縁側に突出する略Ｖ字状突出部を備えていることを特徴とする請求項４記載のドリッパー。
【請求項７】
前記筒状紙体に設けた一対の前記第１切線のそれぞれの略両端から前記両側端に平行に前記筒状紙体の前記一方の開口縁に延びる仮想直線を想定したときに、前記仮想直線と交わる前記筒状紙体の前記一方の開口縁に先端が鋭角な切欠が前記折り手段として前記筒状紙体に設けられていることを特徴とする請求項３記載のドリッパー。
【請求項８】
前記筒状紙体がその前記一方の開口縁の略中央部となる位置に対向する一対の突出フラップを備え、前記袋体の開口縁の略中央対向部が前記一対の突出フラップに貼着されていることを特徴とする請求項１〜７のいずれかに記載のドリッパー。
【請求項９】
請求項１〜８のいずれかに記載のドリッパーにおいて、前記袋体の開口部を内容物収納後に超音波溶着により剥離可能に閉じたことを特徴とするドリッパー。
【発明の詳細な説明】
【技術分野】
【０００１】
本発明は、レギュラーコーヒー粉、紅茶や緑茶の葉等の被抽出成分を有する内容物を漉すときに使用する使い捨てタイプのドリッパーおよびレギュラーコーヒー粉、紅茶や緑茶の葉等の被抽出成分を有する内容物を一体的に収納した使い捨てタイプのドリッパーに関する。
【背景技術】
【０００２】
従来から、レギュラーコーヒー粉等の内容物を収納する収納部と、該収納部をカップ壁面等に載置固定する紙製支持部とからなる使い捨てタイプのドリッパーが知られている（たとえば、特許文献１参照）。
【０００３】
特許文献１記載のドリッパーは、厚紙により形成した折畳まれた状態の枠状の紙製支持部の内側にレギュラーコーヒー粉等の内容物が収納された濾紙袋（収納部）の上縁部近くを接着したものであって、使用時に前記濾紙袋（収納部）に設けられたミシン目で前記濾紙袋（収納部）を開封して後に、折畳まれた状態の枠状の紙製支持部を起立させて筒状に保形するように構成され、この状態で筒状に保形された紙製支持部の下端部をカップ壁面上に載置して前記濾紙袋（収納部）内に注湯することにより、所望のコーヒー等の飲料を得るものである。
【０００４】
しかしながら、特許文献１記載のドリッパーは、枠状の紙製支持部材の下縁でカップ壁面上に載置するように構成されているために、紙製支持部材を一定の大きさの筒状に保形した状態を維持するのが困難であり注湯し難いといった問題やカップに対する支持が不安定になり注湯中に転倒する虞があるといった問題があった。
【０００５】
そこで、上記問題を解決するドリッパーとして、紙製支持部材に一定の大きさの筒状に保形する手段やカップ壁面上に載置固定するための載置固定手段を備えるように構成したものが提案されている（たとえば、特許文献２参照）。
【０００６】
特許文献２記載のドリッパーは、上部に設けたミシン目で開封し、その後に枠状の紙製支持部材の中間部分に垂直方向に設けた折目を折ることにより横断面６角形状に保形された筒状体が得られると共に、この状態で枠状の紙製支持部材の下端部に設けられた前後部下端右側及び左側切片とこれら切片下端にそれぞれ設けられた打抜部分とこの打抜部分により形成された表及び裏側中央部下端および前記打抜部分の突き当たりにそれぞれ形成された円形の空隙によりカップ壁面に載置固定するように構成されている。具体的には、カップ壁面を打抜部分の突き当たりに設けられた円形の空隙の奥迄差し込むことによりカップ壁面上に載置固定するように構成され、一定の大きさの筒状体に保形した状態を維持すると共に安心して注湯することができるものである。
【０００７】
しかしながら、特許文献２のドリッパーは、上記のようにしっかりとカップ壁面に載置固定するためのカップの口径が限定されるという問題がある。使用時に用いられるカップは適宜な口径のもの、たとえば、７０〜１００ｍｍφの口径のものが一般的には用いられるために、上記のようにしっかりとカップ壁面に載置固定される使用方法は極めて稀である。すなわち、開口部の口径の狭い、たとえば、７０〜８０ｍｍφのカップの場合にはカップ壁面を打抜部分の突き当たりに設けられた円形の空隙に差し込むことができずに、単にカップ壁面上に載置することになるために、一定の大きさの筒状に保形した状態を維持することができずに注湯し難いといった問題があり、また、開口部の口径の比較的広い、たとえば、１００ｍｍφのカップの場合には、紙製支持部材の下端部に設けられた前後部下端右側及び左側切片を外側に湾曲させた状態にしてカップ壁面に載置することになるために、注湯時にドリッパーが傾く虞があり不安感のある注湯を強いられるという問題がある。さらにまた、ドリッパーをカップ壁面上に載置した状態における座屈強度が小さく、注湯時にドリッパーが紙製支持部材の中間部分に垂直方向に設けた折目の下端間で折れ曲がって傾く虞があるという問題がある。
【特許文献１】実開平４−１３５６８号公報
【特許文献２】特開平１０−８５１３６号公報
【発明の開示】
【発明が解決しようとする課題】
【０００８】
そこで本発明は、一定の大きさの横断面を有する筒状に保形した状態を維持することができると共にカップの開口部の口径に依存することなく、カップ壁面上に載置固定することができて安心して注湯することができ、さらに座屈強度においても優れ、注湯時に折れ曲がって傾くことがないドリッパーを提供することである。
【課題を解決するための手段】
【０００９】
本発明者は、上記課題を達成するために、請求項１記載の本発明は、両側縁に折曲部を備えた平面視略矩形状の筒状紙体と濾過機能を有する袋体とからなり、前記筒状紙体に前記袋体を挿入して前記袋体の開口縁の略中央対向部を前記筒状紙体の一方の開口縁の略中央部に貼着したドリッパーにおいて、前記筒状紙体の他方の開口縁の中央対向部に一対の中央係合突片と前記筒状紙体の他方の開口縁の前記両側縁に側縁係合突片とが形成され、さらに前記一対の中央係合突片の前記他方の開口縁から前記一対の中央係合突片をそれぞれ略２等分して前記一方の開口縁側へ延びる一対の第２切線と該一対の第２切線の前記一方の開口縁側のそれぞれの終端から前記両側縁へ前記第２切線に対して対称に延びる一対の第１切線とが形成されていることを特徴とするものである。
【００１０】
また、請求項２記載の本発明は、請求項１記載のドリッパーにおいて、前記第１切線と前記第２切線とがＴ字状となるように形成されていることを特徴とするものである。
【００１１】
上記請求項１、２のいずれかに記載の構成とすることにより、両側縁に設けた両折曲部を互いに接近する方向に押圧することにより、第１切線と第２切線、特にＴ字状となるように形成した第１切線と第２切線により前記筒状紙体の他方の開口縁側が拡開して中央係合突片と側縁係合突片とからなる一対の係合部が生成され、この係合部を前記中央係合突片がカップ壁面の外側に、前記側縁係合突片がカップ壁面の内側に位置するようにしてカップ壁面に係合することにより、たとえば、開口部の口径が７０〜１００ｍｍφのカップ壁面上にドリッパーが載置固定され、安心して注湯することができると共にカップ壁面上に載置固定した状態において一対の係合部のそれぞれの略中央部に前記筒状紙体の折曲部が位置するために座屈強度においても優れ、注湯時に前記係合部が折れ曲がって傾くことがないドリッパーとすることができる。
【００１２】
また、請求項３記載の本発明は、請求項１、２のいずれかに記載のドリッパーにおいて、前記筒状紙体のそれぞれの前記第１切線より前記一方の開口縁側のそれぞれの前記第２切線に対して対称な位置に折り手段が形成されていることを特徴とするものである。
【００１３】
また、請求項４記載の本発明は、請求項３記載のドリッパーにおいて、前記筒状紙体に設けた一対の前記第１切線のそれぞれの略両端から前記両側縁に平行に前記筒状紙体の前記一方の開口縁に延びる仮想直線を想定したときに、前記仮想直線上にほぼ位置する孔部が前記折り手段として前記筒状紙体に設けられていることを特徴とするものである。
【００１４】
また、請求項５記載の本発明は、請求項４記載のドリッパーにおいて、前記孔部が前記両側縁に平行な方向に延びる長孔部であることを特徴とするものである。
【００１５】
また、請求項６記載の本発明は、請求項４記載のドリッパーにおいて、前記孔部の前記一方の開口縁側と前記他方の開口縁側との端部がそれぞれの開口縁側に突出する略Ｖ字状突出部を備えていることを特徴とするものである。
【００１６】
また、請求項７記載の本発明は、請求項３記載のドリッパーにおいて、前記筒状紙体に設けた一対の前記第１切線のそれぞれの略両端から前記両側端に平行に前記筒状紙体の前記一方の開口縁に延びる仮想直線を想定したときに、前記仮想直線と交わる前記筒状紙体の前記一方の開口縁に先端が鋭角な切欠が前記折り手段として前記筒状紙体に設けられていることを特徴とするものである。
【００１７】
上記請求項３〜７のいずれかに記載の構成とすることにより、両側縁に設けた両折曲部を互いに接近する方向に押圧することにより、折り手段で両側縁に平行な方向に前記筒状紙体が折り曲げられて一定の大きさの横断面を有する筒状に確実に保形されるために、一層安心して注湯することができるドリッパーとすることができる。
【００１８】
また、請求項８記載の本発明は、請求項１〜７のいずれかに記載のドリッパーにおいて、前記筒状紙体がその前記一方の開口縁の略中央部となる位置に対向する一対の突出フラップを備え、前記袋体の開口縁の略中央対向部が前記一対の突出フラップに貼着されていることを特徴とするものである。このように構成することにより、左右の手指で摘み易くすることができ、筒状紙体を筒状とする際に筒状によりし易くすることができる。また、後述する剥離可能に閉じた封止部の剥離（開封）をより容易なものとすることができる。
【００１９】
また、請求項９記載の本発明は、請求項１〜８のいずれかに記載のドリッパーにおいて、前記袋体の開口部を内容物収納後に超音波溶着により剥離可能に閉じたことを特徴とするものである。このように構成することにより、筒状紙体の外側から筒状紙体を介して袋体の開口部を容易に剥離可能に閉じることができる。
【発明の効果】
【００２０】
本発明のドリッパーは、筒状紙体２に設けた折り手段により、一定の大きさの横断面を有する筒状に確実に保形維持することができると共に、開口部の口径に依存することなくカップのいずれの壁面に対してもドリッパーが確実に載置固定されるために安心して注湯することができ、さらにカップ壁面上に載置固定した状態において一対の係合部のそれぞれの略中央部に前記筒状紙体２の折曲部α、βが位置するように構成されているために座屈強度においても優れ、注湯時に前記係合部が折れ曲がって傾くことがないという種々の優れた効果を奏するものである。
【発明を実施するための最良の形態】
【００２１】
上記の本発明について、図面等を用いて以下に詳述する。
図１は本発明にかかるドリッパーの第１実施形態を示す要部透視正面図、図２は本発明にかかるドリッパーの第２実施形態を示す要部透視正面図、図３は図１に示すドリッパーに用いる筒状紙体の展開図、図４は本発明にかかるドリッパーの第３実施形態を示す要部透視正面図、図５は図４に示すドリッパーの使用方法を説明する図であり、図中の１，１’，１０はドリッパー、２は筒状紙体、２’はブランク板、３は袋体、２０，２０’，２０”は突出フラップ、２１，２１’は中央係合突片、２２は側縁係合突片、２３，２３’はＴ字状切線、２３ａ，２３ａ’は第１切線、２３ｂ，２３ｂ’は第２切線、２４，２４’は長孔部、２４”は扇形状の孔部、２５，２５’は切欠、２６，２７は折罫、３０，３０’は対向貼着部、３１は剥離可能接着部、３２は強固な接着部、３３は折部、２００は前面板、２１０は背面板、２２０は糊代片、α，βは折曲部をそれぞれ示す。
【００２２】
図１は本発明かかるドリッパーの第１実施形態を示す要部透視正面図であって、ドリッパー１は両側縁に折曲部α、βを備えると共に前記両側縁に対して一方の開口縁（図１上の上端縁）の中央部となる位置に対向する一対の突出フラップ２０、２０’（図３参照）を備えた平面視略矩形状の筒状紙体２に、濾過機能を有する略逆台形状の袋体３を挿入して前記袋体３の開口縁の略中央部を一部延設した一対の対向貼着部３０、３０’（図５参照）を前記一対の突出フラップ２０、２０’の上縁で外方へ折返して前記一対の突出フラップ２０、２０’の外面に貼着したものであって、前記筒状紙体２の他方の開口縁の中央対向部に一対の中央係合突片２１、２１’（図３参照）と前記筒状紙体２の他方の開口縁（図１上の下端縁）の前記両側縁に側縁係合突片２２、２２とが形成され、さらに前記筒状紙体２の前記他方の開口縁側中央部の対向する位置に、前記両側縁に垂直な一対の第１切線２３ａ、２３ａ’（図３参照）と該第１切線２３ａ、２３ａ’の略中央から前記他方の開口縁側へ延びて前記一対の中央係合突片２１、２１’を略２等分する一対の第２切線２３ｂ、２３ｂ’（図３参照）とからなる一対のＴ字状切線２３、２３’（図３参照）が形成されると共に前記一対の第１切線２３ａ、２３ａ’の略両端から前記両側縁に平行に前記筒状紙体２の前記一方の開口縁にぞれぞれ延びる仮想直線（図１上、２点鎖線で表示）を想定したときに前記仮想直線上にほぼ位置する長手方向の両端にＶ字状突出部を備えた長孔部２４、２４、２４’、２４’（図３参照）と、前記仮想直線と交わる前記筒状紙体２の前記一方の開口縁にＶ字状切欠２５、２５、２５’、２５’（図３参照）とが折り手段として設けられている。
【００２３】
また、図１に示すように、前記袋体３は、その両側端縁に容易に剥がれない強固な接着部３２を有すると共に前記袋体の前記開口部と反対側の下端部（図１上、下側部）は折部３３となっている。なお、前記折部３３については、後ほどもう少し詳しく説明する。
【００２４】
図２は本発明にかかるドリッパーの第２実施形態を示す要部透視正面図であって、ドリッパー１０は図１に示したドリッパー１の前記一対の突出フラップ２０、２０’を幅広に構成し、その両肩部が前記袋体３の開口縁の略中央部を一部延設した前記一対の対向貼着部３０、３０’（図示せず）の折返し部より外側に突出するようにした一対の突出フラップ２０”に代え、前記長孔部２４、２４、２４’、２４’（図３参照）を扇形状の孔部２４”に代えると共に該孔部２４”の円弧の両端部に形成される略Ｖ字状突出部が前記一対の第１切線２３ａ、２３ａ’の略両端から前記両側縁に平行に前記筒状紙体２の前記一方の開口縁にぞれぞれ延びる仮想直線（図１上、２点鎖線で表示）を想定したときに前記仮想直線上にほぼ位置するように構成したものであって、これ以外は図１に示したドリッパー１と同じである。幅広の突出フラップ２０”とすることにより、使用時に手指で摘み易くすることができるために開封時の操作性が向上する。また、扇形状の孔部２４”とすることにより、前記一方の開口縁に平行な方向の開口を大きく採ることができるために熱湯を注湯して飲料を得るときに、この孔部２４”からカップ内に抽出された飲料の液量を容易に確認することができる。
【００２５】
次に、図１に示したドリッパーを例に挙げて、以下に本発明のドリッパーを構成する筒状紙体２と濾過機能を有する袋体３について説明する。最初に筒状紙体２について説明する。図３は図１に示すドリッパーに用いる筒状紙体の展開図であって、ブランク板２’は糊代片２２０、前面板２００、背面板２１０が折罫２６、２７を介して順次連接され、前記前面板２００および前記背面板２１０の前記折罫２６、２７と直交する一方の端縁（図３上の上端縁）のそれぞれの中央部に両角がアール状に形成された略台形状の一対の突出フラップ２０、２０’が設けられ、前記前面板２００および前記背面板２１０の前記折罫２６、２７と直交する他方の端縁（図３上の下端縁）の前記突出フラップ２０、２０’と対向する位置および前記ブランク板２’を後述するように折りと貼り加工をして図１に示す筒状紙体２とした状態でその両端縁となる位置にそれぞれ中央係合突片２１、２１’、および、側縁係合突片２２、２２が設けられ、前記前面板２００および前記背面板２１０の前記折罫２６、２７と直交する他方の端縁（図３上の下端縁）側のそれぞれの中央部となる位置に、筒状紙体２としたときに対となる前記両側縁に垂直な第１切線２３ａ、２３ａ’と該第１切線２３ａ、２３ａ’の略中央から前記他方の開口縁側へそれぞれ延びて前記中央係合突片２１、２１’を略２等分する第２切線２３ｂ、２３ｂ’とからなるＴ字状切線２３、２３’が形成されると共に前記第１切線２３ａ、２３ａ’のそれぞれ略両端から前記両側縁に平行に前記一方の端縁（図３上の上端縁）に延びる仮想直線（図３上、２点鎖線で表示）を想定したときに前記仮想直線上にほぼ位置する長手方向の両端にＶ字状突出部を備えた長孔部２４、２４、２４’、２４’と、前記仮想直線と交わる前記一方の端縁（図３上の上端縁）にＶ字状切欠２５、２５、２５’、２５’とが折り手段として設けられている。なお、図示はしないが、前記Ｔ字状切線２３、２３’の前記第１切線２３ａ、２３ａ’と前記第２切線２３ｂ、２３ｂ’とに部分的に繋ぎ部（刃止め部）を設けておくことにより、不用意に前記中央係合突片２１、２１’が図４に示すように拡開することを防止できるために好ましい。
【００２６】
このように構成された前記ブランク板２’を、まず前記前面板２００上に前記背面板２１０を前記折罫２７を山折りして折り重ね、次いで折り重ねた前記背面板上２１０上に前記糊代片２２０を前記折罫２６を山折りして折り重ね、前記糊代片２２０と前記背面板２１０との重ね部を接着剤等を用いて接着することにより筒状紙体２を得ることができる。なお、前記筒状紙体２を形成する材料としては、たとえば、２００〜３４０ｇ／ｍ２の耐水カード紙、アイボリー紙などの厚紙が適当である。また、前記筒状紙体２を形成する材料としては、前記した厚紙の片面（前記袋体３と当接する面）ないし両面にポリエチレン等の樹脂を塗布したものを用いてもよいものであり、このように構成することにより熱湯や湯気がかかった際にも、前記筒状紙体２の剛性の低下を防止することができる。また、前記ブランク板２’は、周知の打抜機を用いて容易に製造することができる。
【００２７】
次に、本発明に用いる袋体について説明する。袋体３としては、濾過機能を有する素材であれば特に限定するものではないが、袋体３とするときの加工性を考慮すると素材それ自体が熱接着性を有するもの、あるいは、最内層が熱接着性を有するものが好ましく、たとえば、ポリエチレンやポリプロピレン等のポリオレフィン系、ポリエステル系等の透水性を有する不織布、あるいは、最内層にポリエチレンやポリプロピレン等のポリオレフィン系やポリエステル系等の熱可塑性樹脂を含有している層を有する２ないし３層構成からなる濾紙等を挙げることができる。
【００２８】
次に、前記袋体３の製造方法について説明する。前記袋体３は、熱接着性を有する長尺シート、たとえば、最内層に変性ポリプロピレンを含有している３層構成からなる濾紙を、長尺方向と平行に２つ折りして折部３３（図１参照）を形成するなり、あるいは、前記折部３３（図１参照）をＷ折り（ガセット折り）するなりして重ね合わせ、所定形状に熱接着（図１上、符号３２で示す接着部）し、その後に裁断、および／ないし、型抜き（図１上、折部３３が幅狭となると共に前記折部３３の反対側の略中央部に一部延設した一対の対向貼着部３０、３０’を備えた略台形状に型抜き）することにより製造することができる。
【００２９】
前記筒状紙体２と前記袋体３との組付けは、上記した前記筒状紙体２に前記袋体３を挿入して前記袋体３に設けた前記一対の対向貼着部３０、３０’（図５参照）を前記筒状紙体２に設けた前記一対の突出フラップ２０、２０’（図１、３参照）の上縁で外方へ折返して前記一対の突出フラップ２０、２０’（図１、３参照）の外面に貼着することにより完了する。なお、図１においては、前記袋体３の前記一対の対向貼着部３０、３０’（図５参照）を前記一対の突出フラップ２０、２０’（図１、３参照）の上縁で外方へ折返して前記一対の突出フラップ２０、２０’（図１、３参照）の外面に貼着したものを示したが、図示はしないが前記袋体３の前記一対の対向貼着部３０、３０’（図５参照）の突出長さを短くして前記一対の突出フラップ２０、２０’（図１、３参照）の内面に貼着してもよいものである。いずれの場合においても、前記筒状紙体２に前記袋体３を貼着する個所は前記突出フラップ２０、２０’（図１、３参照）とすることが望ましく、これにより使用時に前記筒状紙体２を筒状に起立させた際に、前記袋体３の両側が持ち上がり、前記袋体３の大きく確実な開口が保証され、注湯やドリップに適したドリッパーとすることができる。
【００３０】
なお、、前記ブランク板２’から前記筒状紙体２とするために、前記後側壁板２１０と前記糊代片２２０との重ね部を接着する接着剤、あるいは、前記筒状紙体２と前記袋体３とを接着する接着剤は、ホットメルト型、溶剤型、水性型、反応型、感圧型等の接着剤から適宜選択して用いることができる。
【００３１】
このようにして前記筒状紙体２に前記袋体３が組付けられた本発明のドリッパー１は、その後さらに前記袋体３内にレギュラーコーヒー粉等の被抽出成分を有する内容物（図示せず）が前記袋体３の開口部から充填され、前記袋体３の前記開口部が剥離可能接着部３１（図４参照）となるように熱接着されて、本発明の第３実施形態のドリッパー１’となる。なお、ドリッパー１’は前記袋体３に設けた剥離可能接着部３１（図４参照）以外は図１に示すドリッパー１に同じである。なお、ドリッパー１’において、前記剥離可能接着部３１（図４参照）を設ける際に、前記筒状紙体２の内面と前記袋体３の外面とを同時に剥離可能に接着してもよいものである。このように構成することにより、前記袋体３が筒状紙体２に固定され、輸送時等に前記袋体３が前記筒状紙体２内を動くことがなく、前記袋体３の前記剥離可能接着部３１（図４参照）を保護することができ、また、前記袋体３の開口縁の略中央対向部と前記筒状紙体２との貼着した個所が外れることを防ぐことができる。
【００３２】
次に、前記袋体３の前記開口部の剥離可能接着部３１の形成方法について説明する。前記剥離可能接着部３１は、超音波溶着装置（図示せず）を用いて形成するのが好ましい。この理由としては、本発明のドリッパー１’は、前記筒状紙体２に前記袋体３を組付け、その後に前記袋体３内にレギュラーコーヒー粉等の被抽出成分を有する内容物（図示せず）を前記袋体３の開口部から充填し、最後に前記袋体３の開口部を前記筒状紙体２の外面から前記筒状紙体２を介して剥離可能接着部３１となるように熱接着するものであり、通常用いられる熱板シール方法やインパルスシール方法等では前記筒状紙体２を形成している厚紙を通して前記袋体３の開口部の内面同士を剥離可能に接着することは非常に困難であり、熱接着しようとすると時間を要し、生産効率が落ちると共に前記筒状紙体２の内外面や前記袋体３の表面が焦げて褐変し、見栄えの悪いものとなるからである。ところで、レギュラーコーヒー粉等の被抽出成分を有する内容物（図示せず）を充填した前記袋体３の開口部を先に熱接着したものを前記筒状紙体２に組付ける製造方法を採る場合には、熱板シール方法やインパルスシール方法等を用いても容易に剥離可能接着部３１を形成することができる。
【００３３】
次に、本発明のドリッパー１’の使用方法について図４を用いて、使用方法を示す図５により説明する。まず、図４に示すドリッパー１’の前記袋体３の前記対向貼着部３０、３０’で被覆された前記突出フラップ２０、２０’を左右の手指で摘んで互いに乖離する方向に引張って前記袋体３の前記剥離可能接着部３１を剥離し、その後に前記折曲部α、βを互いに接近する方向に押圧することにより、前記筒状紙体２に設けたＶ字状突出部を備えた前記長孔部２４、２４、２４’、２４’（図３参照）と、前記Ｖ字状切欠２５、２５、２５’、２５’（図３参照）とからなる折り手段により、前記筒状紙体２の前記仮想直線（図４上、２点鎖線で表示）の個所が折り曲げられて折りくせが付き、この折りくせにより前記筒状紙体２は、ほぼ均一な大きさの横断面六角形状の筒状に保形されると共に一対のＴ字状切線２３、２３’（図３参照）により前記筒状紙体２の他方の開口縁側が拡開して中央係合突片２１、２１’（図３参照）と側縁係合突片２２、２２とからなる一対の係合部が生成される。この係合部を図５に示すように、前記中央係合突片２１、２１’（図３参照）がカップ壁面の外側に、前記側縁係合突片２２、２２がカップ壁面の内側に位置するようにしてカップ壁面上に載置固定し、前記袋体３の開口から所定量の熱湯を注湯することによりカップ内に所望の飲料を得るものである。このように本発明のドリッパー１’は、筒状紙体２に設けた折り手段により、一定の大きさの横断面を有する筒状に確実に保形維持されると共に、たとえば、開口部の口径が７０〜１００ｍｍφのカップのいずれの壁面に対してもドリッパーが確実に載置固定されるために安心して注湯することができると共にカップ壁面上に載置固定した状態において一対の係合部のそれぞれの略中央部に前記筒状紙体２の折曲部α、βが位置するために座屈強度においても優れ、注湯時に前記係合部が折れ曲がって傾くことがないドリッパーとすることができる。
【００３４】
また、図１に示すレギュラーコーヒー粉等の被抽出成分を有する内容物が充填されていないドリッパー、すなわち、本発明のドリッパー１の使用方法としては、ドリッパー１’の使用方法で説明した前記袋体３の前記剥離可能接着部３１を剥離する操作をすることなく上記したと同様に筒状に保形する操作を行い、その後に、たとえば、別容器等に収納されているレギュラーコーヒー粉等の被抽出成分を有する内容物（図示せず）をスプーン等で前記袋体３の開口から前記袋体３内に入れて後に上記したと同様にカップ壁面上に載置固定する操作を行って後に、前記袋体３の開口から所定量の熱湯を注湯することによりカップ内に所望の飲料を得るものである。
【００３５】
ところで、今まで説明したドリッパー１、１’、１０は本発明の一例を例示したものであってこれに限ることはなく、たとえば、折り手段としてはＶ字状突出部を備えた前記長孔部、および、前記扇形状の孔部、前記Ｖ字状切欠は、いずれか一つであってもよいし、また、図示はしないが、前記長孔部２４、２４、２４’、２４’はＶ字状突出部を備えない矩形状の長孔部であってもよいし、また、前記長孔部２４、２４、２４’、２４’や前記Ｖ字状切欠２５、２５、２５’、２５’に代えて前記仮想直線（図４上、２点鎖線で表示）上に形成した折罫やミシン目罫であってもよいものであり、要するに本発明の趣旨を逸脱しない範疇のものはすべて本発明に含まれるものである。また、前記突出フラップ２０、２０’についても、必ずしも同一形状である必要はなく、突出幅や突出高さを変えたり、あるいは、同一形状であっても多少設ける位置をずらせたり、あるいは、突出幅を幅広にして使用時に手指で摘み易いように構成してもよいものである。
【図面の簡単な説明】
【００３６】
【図１】本発明にかかるドリッパーの第１実施形態を示す要部透視正面図である。
【図２】本発明にかかるドリッパーの第２実施形態を示す要部透視正面図である。
【図３】図１に示すドリッパーに用いる筒状紙体の展開図である。
【図４】本発明にかかるドリッパーの第３実施形態を示す要部透視正面図である。
【図５】図５は図４に示すドリッパーの使用方法を説明する図である。
【符号の説明】
【００３７】
１，１’，１０                ドリッパー
２                            筒状紙体
２’                          ブランク板
３                            袋体
２０，２０’，２０”          突出フラップ
２１，２１’                  中央係合突片
２２                          側縁係合突片
２３，２３’                  Ｔ字状切線
２３ａ，２３ａ’              第１切線
２３ｂ，２３ｂ’              第２切線
２４，２４’                  長孔部
２４”                        扇形状の孔部
２５，２５’                  切欠
２６，２７                    折罫
３０，３０’                  対向貼着部
３１                          剥離可能接着部
３２                          強固な接着部
３３                          折部
２００                        前面板
２１０                        背面板
２２０                        糊代片
α，β                        折曲部
【図１】
2004195198.tif 000003
【図２】
2004195198.tif 000004
【図３】
2004195198.tif 000005
【図４】
2004195198.tif 000006
【図５】
2004195198.tif 000007